(57)【要約】【課題】  特に褥瘡の予防又は緩和のために使用することが好適で、身体形状に応じた変形をするのみならず、内部の熱蓄積を防止することが可能な放熱特性を有し、且つ、クッション体表面の細菌を除去することが可能な衛生性を有するクッション体の提供。【解決手段】  外袋に発泡樹脂粒子が充填された中袋を収納したクッション体であって、前記外袋は、伸縮性生地で構成されており、前記中袋は、少なくとも表面の一部に金属被膜が形成されているクッション体。このクッション体の外袋は、透湿防水性の生地で構成されていることが好適である。【選択図】  図２
2005230137.tif 000002
【特許請求の範囲】
【請求項１】
外袋に発泡樹脂粒子が充填された中袋を収納したクッション体であって、
前記外袋は、伸縮性生地で構成されており、
前記中袋は、少なくとも表面の一部に金属被膜が形成されていることを特徴とするクッション体。
【請求項２】
前記伸縮性生地は、透湿防水性の生地である請求項1に記載のクッション体。
【請求項３】
前記伸縮性生地は、編地と多孔質合成樹脂シートの積層生地である請求項２に記載のクッション体。
【請求項４】
前記伸縮性生地は、引張加重２．５Ｋｇ重、引張速度１０ｃｍ／分における縦方向の伸度が６０〜８０％、横方向の伸度が１００〜１２０％である請求項１〜３のいずれかに記載のクッション体。
【請求項５】
前記中袋は、伸縮性生地で構成されている請求項１〜４のいずれかに記載のクッション体。
【請求項６】
前記発泡樹脂粒子は、原料ビーズを予備発泡させたものであり、原料ビーズは、原料ビーズ１００重量部に対して０．５〜１．５重量部の流動促進剤によって表面被覆されている請求項１〜５のいずれかに記載のクッション体。
【請求項７】
前記クッション体は、褥瘡の予防又は緩和用に使用される請求項１〜６のいずれかに記載のクッション体。
【発明の詳細な説明】
【技術分野】
【０００１】
本発明は、身体を適度に支持するクッション体に関し、特に褥瘡予防用又は褥瘡患者に対して好適に使用することができるクッション体に関するものである。
【背景技術】
【０００２】
従来から、身体障害者や高齢者には、寝たきりとなる者が存在する。中には、自力で寝返りをすることができないような寝姿を変えることができない者も多く存在する。さらに身体障害者においては、四肢すら動かすことができない者すら存在する。このような自力で身体を動かすことができない者の体には、身体の一定箇所に自重が集中しやすい。身体の一定箇所への自重の集中を長時間放置した場合には、皮膚組織内の血管が圧迫されて、皮膚組織が破壊する褥瘡が生じ、これが進行すれば、皮下組織の破壊、筋肉組織の破壊、次いでは、骨組織の破壊に至ってしまうことになる。
【０００３】
この褥瘡の予防又は緩和を図るには、褥瘡発生部位又は発生するおそれがある身体部位と床面等の身体支持面との間や密着している身体部位同士の間にクッション体を介在させて、皮膚組織内の血管の圧迫を緩和することが行われることになる。そして、クッション体は、身体形状に合わせた形状変形を行うものが、身体の一定箇所に自重が集中することなく身体部位を支持して皮膚組織内の血管の圧迫を緩和できるので、好ましいクッション体といえる。そのような身体形状に合わせた変形を行うクッション体としての一例は、特許文献１に開示されている。
【特許文献１】実開昭５６‐１１５９６６号公報
【０００４】
特許文献１に記載されたクッション体は、布等で形成された袋体に発泡樹脂粒子を収容したクッション体であり、クッション体使用時に収容されている発泡樹脂粒子が身体形状に合わせて流動することによって、身体形状に合わせたクッション体の変形を実現するものである。
【発明の開示】
【発明が解決しようとする課題】
【０００５】
しかし、褥瘡の予防及び緩和のためには、皮膚組織内の血管の圧迫を緩和することのほか、身体表面が湿潤した状態となることを防止するともに衛生面に優れていることが要求されるが、特許文献１に記載されたクッション体は、内部に低熱伝導性の発泡樹脂を使用しているため、クッション体内部に熱が蓄積し易く、クッション体に熱が蓄積した結果、使用者の発汗を促進して身体表面を湿潤した状態にし易い。そして、汗、体液、薬剤等がクッション体表面に付着した後、これを放置すると、その表面に細菌が繁殖することになり、褥瘡患部が細菌感染することを防止するためにクッション体を高温下において繁殖した細菌を殺菌しようとすれば、クッション体内部の発泡樹脂が溶融又は軟化することになってしまうため、衛生面を担保しながらクッション体を継続使用することができない。
【０００６】
上述した通り、特許文献１に記載された構成のクッション体は、身体形状に応じた変形を実現するため、褥瘡予防等のために使用するクッション体として使用することが可能であるが、一時的な使用である場合に、身体表面の湿潤防止及び衛生性を保てるに過ぎない。
【０００７】
上述のような事情に鑑み、本発明は、褥瘡の予防及び緩和のために使用する褥瘡用具として継続的に使用することが可能なクッション体であって、身体形状に応じた変形をするのみならず、内部の熱蓄積を防止するための優れた放熱特性を有するとともに、クッション体表面の細菌を除去することが可能な衛生性を有するクッション体を提供することを目的とするものである。
【課題を解決するための手段】
【０００８】
本発明は、外袋に発泡樹脂粒子が充填された中袋を収納したクッション体であって、前記外袋は、伸縮性生地で構成されており、前記中袋は、少なくとも表面の一部に金属被膜が形成されていることを特徴とするクッション体である。前記発泡樹脂粒子の粒径は、０．１〜１．４ｍｍであることが好適である。
【０００９】
前記伸縮性生地は、透湿防水性の生地であることが好ましく、より好ましくは、編地と多孔質合成樹脂シートの積層生地からなる伸縮性生地である。この生地を使用したクッション体は、汗等がクッション体内部に侵入することを防止し、クッション体の内部における細菌の繁殖を防止することができる。また、通気性を有するので、より優れた放熱特性を有するクッション体となる。
【００１０】
また、前記伸縮性生地は、引張加重２．５Ｋｇ重、引張速度１０ｃｍ／分における縦方向の伸度が６０〜８０％、横方向の伸度が１００〜１２０％であることが好適である。この伸度範囲の下限値に満たない場合は、身体形状に応じたクッション体の十分な変形が生じないと共に、クッション体表面が固い高反発性のクッション体となって褥瘡予防等の効果が低下することになる。一方、前記伸度範囲の上限値を超える場合は、身体部位がクッション体の底面に底打ちしやすくなるため、褥瘡予防等の効果が低下する。なお、この外袋を構成する伸縮性生地の伸度は、幅２．５ｃｍ、把持間隔１０ｃｍの試料を、テンシロン引っ張り試験機で、把持長が１０ｃｍ、引っ張り速度が１０ｃｍ／分、引っ張り加重が２．５Ｋｇ重の測定条件で、ＪＩＳ  Ｌ１０１８に則って測定したときに示されるものである。
【００１１】
前記中袋は、伸縮性生地で構成されていることが好適であり、１Ｋｇ重の張力で、縦方向の伸度が２５０〜３００％、横方向の伸度が１００〜１４０％であるもの、及び／又は、３Ｋｇ重の張力に対して、縦方向の伸度が３４０〜３８０％、横方向の伸度が１４０〜１８０％のものを選択することが、特に好適である。この伸度範囲にある伸縮性生地を使用した中袋と前記伸度範囲にある伸縮性生地を使用した外袋とを組み合わせることで、褥瘡の予防等に使用するクッション体として最適なクッション体となる。なお、中袋を構成する伸縮性生地の伸度は、１６ｃｍ×２．５ｃｍまたは２．５ｃｍ×１６ｃｍに切り出された二種類の生地を、縦方向の伸度の測定では縦方向を１６ｃｍとした試料を使用し、横方向の伸度の測定では、横方向を１６ｃｍとした試料を使用したときの伸度である。
【００１２】
前記発泡樹脂粒子は、原料ビーズを予備発泡させたものであり、原料ビーズは、原料ビーズ１００重量部に対して０．５〜１．５重量部の流動促進剤によって表面被覆されていることが好ましい。流動促進剤が発泡樹脂粒子に被覆されていることによって、神経過敏な者が発泡樹脂粒子同士の摩擦による異音によって苛立つこともなく、さらに、発泡樹脂同士の摩擦磨耗を防止してクッション体の使用期間を長期化させることができる。
【００１３】
この発泡樹脂粒子は、中袋の容積に対する充填率が、６０〜１４５％であることが好適である。この充填率は、引張加重等の外的作用が加わっていない中袋の容積において、発泡樹脂粒子が占める体積の百分率である。
【００１４】
前記クッション体は、褥瘡の予防又は緩和用に使用することが可能なクッション体である。
【発明の効果】
【００１５】
上記のように構成された発明によれば、外袋の内部に発泡樹脂粒子が充填された中袋を収納した構成をとっているので、外袋を独立して殺菌可能な高温下に置くことができ、衛生性が優れたクッション体であり、さらに内袋の表面に金属被膜が形成されていることから、優れた放熱特性を発揮して、クッション体内部の熱蓄積を防止することができるので、使用者の発汗を促し身体表面が湿潤することを抑制可能なクッション体であり、褥瘡の予防及び緩和に使用するクッション体として好適なクッション体である。
【発明を実施するための最良の形態】
【００１６】
以下、本発明を実施形態に基づいて説明するが、本実施形態における具体的な記載内容は、特に本発明を限定するものではない。図１は、本発明に係るクッション体の一実施形態の斜視図であり、図２は、図１のクッション体のＡ−Ａ間断面模式図である
本発明の第一実施形態であるクッション体１は、直方体形の外袋２に発泡樹脂粒子４が充填された外袋２と同形の中袋３を収納したクッション体である。このクッション体１の外袋２は、伸縮性生地を直方体形に縫合したものであり、その一側辺には、図示していない中袋３を出し入れするためのファスナーが備えられている。
【００１７】
外袋２を構成している伸縮性生地は、２枚の編地をポリウレタン弾性繊維で柱状に無数連結し、外袋２の内面となる一表面には、厚み０．０２ｍｍ程度の透湿防水性を有する多孔質ポリウレタンシートが積層されている。この２枚の編地を柱状に連結し、透湿防水性ポリウレタンシートを積層した伸縮性生地を使用している本実施形態のクッション体は、透湿・通気性を有するクッション体であり、その上、血液、体液又は薬剤等がクッション体内部に浸透することを防止することで、クッション体内部において細菌が発生することを防止する。
【００１８】
さらに、前記伸縮性生地には、テンシロン引っ張り試験機で、把持長が１０ｃｍ、引っ張り速度が１０ｃｍ／分、引っ張り加重が２．５Ｋｇの測定条件で測定したときの伸度が、縦方向では、６０〜８０％、横方向では１００〜１２０％の伸度の範囲内に入る伸縮性生地を選択している。このような伸度の生地を選択することで、クッション体への身体荷重に対して伸縮性生地が反発することなく伸張し、荷重の支点となった身体部位の周辺を包み込むことができるクッション体を実現する。
【００１９】
中袋３は、伸張性生地であるツーウェイトリコット生地を使用して製造されたものであり、クッション体使用時におけるクッション体内部の熱蓄積を回避するため、クッション体の外表面側に、金属蒸着によって金属膜層を形成し、クッション体の熱分散性を向上させている。
【００２０】
ツーウェイトリコット生地は、ナイロン糸やポリエステル糸の経編み（トリコット）組織に、ポリウレタン糸を挿入した生地であり、好適には、ナイロン糸又はポリエステル糸９０〜７５重量％、ポリウレタン糸１０〜２５重量％のものが選択される。また、この生地は、０．３〜１．５ｍｍの厚みのものを使用すると良く、好ましくは１ｍｍ未満、より好ましくは０．５〜０．６ｍｍの厚みである。
【００２１】
また、前記ツーウェイトリコット生地には、１Ｋｇ重の張力での縦方向の伸度が２５０〜３００％、横方向の伸度が１１０〜１４０％となる生地が選択使用される。この生地は、３Ｋｇ重の張力において、縦方向の伸度が３４０〜３８０％、横方向の伸度が１４０〜１８０％のものが特に好適な生地である。
【００２２】
ツーウェイトリコット生地に蒸着される金属は、特に限定されるものではないが、アルミニウム、ステンレス、チタン等を選択することができ、チタンを選択することが耐食性や加工容易性の観点から好適である。また、蒸着された金属被膜の膜厚が５０〜２０００Åとなるように蒸着することが好適である。
【００２３】
本発明の発泡樹脂粒子４は、好適には、各粒子を球形に換算した場合の等価直径である各粒子の平均直径が０．１〜１．４ｍｍのものを選択して使用することが好適である。発泡樹脂粒子の平均直径が１．４ｍｍを超えると、クッション内での流動性が損なわれて使用者に違和感を与えることになる。一方、発泡樹脂粒子の平均直径が０．１ｍｍより小さいと流動性には優れるが、生地が伸びたときに生地の隙間から発泡樹脂粒子が流出するおそれがあるので不適である。本発明の発泡樹脂粒子は、より好ましくは、その粒子径（各発泡樹脂粒子の平均直径）が０．４〜０．９ｍｍ程度のものが使用される。
【００２４】
この発泡樹脂粒子４は、原料ビーズを予備発泡させたものであり、より好ましくは、ビーズ法ポリスチレンフォームの予備発泡工程で生成される予備発泡体が使用される。この場合、原料ビーズ１００重量部に対して０．５〜１．５重量部の流動促進剤によって表面被覆されているのが好ましい。ここで、前記流動促進剤は脂肪酸と金属の塩であり、前記脂肪酸は、ステアリン酸、エチレンビスステアリン酸、ラウリン酸、パルミチン酸から選択される何れか一種以上であり、前記金属は、マグネシウム、カルシウム、亜鉛、バリウム、アルミニウムから選択される何れか一種以上であるのが好ましい。流動促進剤で表面被覆し発泡樹脂粒子を使用すれば、発泡樹脂粒子間の摩擦がないため、摩擦によって異音を発すること及び発泡予備粒子の磨耗によるクッション体の委縮が防止される。
【００２５】
発泡予備粒子を中袋に充填し、さらにこの中袋を外袋に収納することによって、クッション体内への発泡樹脂粒子の充填が行われる。このとき発泡樹脂の充填率は、使用態様に応じ、中袋の容積に対して６０〜１４５％であることが好ましい。充填率が６０％に満たない場合には、身体部位の沈み込みが大きくなって、容易に体位変換できなくなり、また、身体の沈み込みが深くなって、身体がクッション体底部に底打ちし易く、適切に褥瘡予防または緩和を行うことができない。一方、充填率が１４５％を超える場合には、クッション体の反発力は、褥瘡の予防及び緩和に適さない反発力となる。
【００２６】
充填率は、身体部位によって適宜変更すればよく、肘、踵等の骨突起部位にクッション体を使用する場合には、前記充填率範囲内で高充填率となる１０５〜１４５％の充填率であることが好ましく、より好ましくは、１３９〜１４５％の充填率である。骨突起部位以外又は骨突起部位の少ない身体部位にクッション体を使用する場合には、充填率を下げた９０〜１０５％の充填率としてクッション体の使用感触を高めることが好ましく、両足間等の密着している身体部位同士の間に介在させて使用するクッション体として使用する場合には、充填率が９０〜９６％であることが好適である。充填率を６０〜９０％に設定すれば、身体形状に応じた変形を一層高めることが可能となる。
【００２７】
以上の構成による図１のクッション体は、肘、踵、膝、背等のクッションとして使用することが可能である。図３は、図１のクッション体の一使用例を表した図である。クッション体１は、仰臥位になった者の臀部と床面の間に介在されている。
【００２８】
図４は、図３におけるＢ−Ｂ間の断面模式図である。クッション体１は、使用者５の自重によって、臀部の形状に応じて変形している。また、クッション体１の変形は、クッション体内部に充填された発泡樹脂粒子の流動によって、臀部を包み込むような変形も伴っており、より一層の体圧分散効果を発揮する。
【００２９】
次に本発明の他の実施形態について説明する。図５は、本発明に係るクッション体の他の実施形態の斜視図である。図５のクッション体６は、円柱状の外袋に、発泡樹脂粒子が充填された小型円柱状の中袋７が５個収納されている。そして中袋７に充填されている発泡樹脂粒子の充填率は、６６〜７２％であり、クッション体６は、身体形状に応じた十分な変形によって、身体部位を包み込むようにして支持することができる好適なクッション体となっている。このクッション体６は、屈曲自在なクッション体であり、例えば、踵に対して使用すると同時に、その他の身体部位に対して使用することができる。また、クッション体６を屈曲させず直線状のままにして、仰臥位の者の背筋に沿って配置して使用する等の使用方法もとることができる。
【００３０】
図６は、図５のクッション体の一使用例を表した図である。本使用例においては、横臥位の者の肘、膝、踝及び踵の骨突起に当接させることを、一のクッション体６を屈曲させることで可能としている。
【００３１】
更に他の実施形態について説明する。図7は、本発明に係るクッション体の他の実施形態である。図７のクッション体８は、扁平円柱を略半円弧状に湾曲した形状を基本形状とし、湾曲した内側周からは２つの山が内側周の内側に向けて隆起し、なだらかな曲線が波打った形状となっている。このクッション体８の使用は、例えば、主に内側周の隆起部、先端及び末端を身体の複数部位下に配置させることによって行われる。この使用において、クッション体８の外袋及び中袋には伸縮性の生地が使用され、クッション体自体が伸縮自在であるので、クッション体８を支持する身体部位まで伸長させて使用することが可能である。
【００３２】
図８は、図７のクッション体の一使用例を表した図である。本使用例においてクッション体８は、骨突起部への圧迫が少ない身体傾斜が３０度程度の半側臥位の者に使用されている。クッション体８の先端は、側頭部下に置かれ、先端側の内側周隆起部、末端側の内側周隆起部及び末端は、それぞれが、肩、臀部、大腿部の下に置かれ、クッション体８は、各身体部位に応じた変形をしつつ各身体部位を支持すると共に、一定部位への自重の集中を十分に軽減している。また、大腿部を支持しているクッション体８の末端を膝下や踵下にまで伸長させて使用することもできる。
【００３３】
本発明における構成のクッション体となる限り、上記実施形態に関わらず、本発明のクッション体を構成する。即ち、クッション体の形状は、前記略直方体形状、円柱形状等に特に限定されるものではなく、クッション体の用途も褥瘡の予防又は緩和に使用することに限定されるものではない。
【００３４】
また、外袋を構成する伸縮性生地の伸度、内袋を構成する伸縮性生地の伸度及び内袋に充填される発泡樹脂粒子の充填率を、前記範囲内にすることで、クッション体使用時において、使用者の身体部位がクッション体の底部に底打ちすることのないクッション体を実現することができる。
【００３５】
以下に本発明の圧力分散性能を実施例１及び実施例２に基づき具体的に説明する。なお、実施例におけるクッション体は、発泡樹脂粒子を充填した内袋を外袋に収納したクッション体である。このクッション体に使用したクッション体構成部材は、以下の通りである。
【００３６】
（外袋）
２枚の編地をポリウレタン弾性繊維で柱上に連結した生地を使用した。このとき、２枚の編地の間隔が２〜３ｍｍ程度の間隔になるように、ポリウレタン弾性繊維で連結した。そして、柱状連結された２枚の編地には、外袋の内面となる表面に厚さ０．０２ｍｍの多孔質ポリウレタンシートシートを積層した。外袋の形状は、実施例１のクッション体が、略長円柱形状、実施例２クッション体が略直方体形状とした。
【００３７】
（内袋）
ツーウェイトリコット生地を使用した。この生地のうち内袋の外表面となる一表面には、チタン被膜を蒸着によって形成した。実施例１のクッション体においては、外袋よりも長さが５分の１程度の短円柱形状の内袋とし、実施例２においては、外袋とほぼ同寸法の内袋とした。
【００３８】
（発泡樹脂粒子）
発泡倍率が２０倍の発泡ポリスチレンを使用した。中袋の内容積に対する発泡ポリスチレンの充填率は、実施例１が６９％、実施例２が９３％とした。
【００３９】
上記クッション体の構成部材によって、実施例１及び実施例２のクッション体を製造した。なお、実施例１のクッション体における内袋は、外袋内に５個収納されている。
【００４０】
ついで実施例１及び実施例２のクッション体の体圧分散状況を測定した。図９は、実施例１のクッション体の体圧分散を測定したときのクッション体使用状態を表す図面代用写真である。図１１は、実施例２のクッション体の体圧分散を測定したときのクッション体使用状態を表す図面代用写真である。
【００４１】
（実施例１）
クッション体の上に体圧マットを覆い、図９に示すように、クッション体を背筋に沿わせ、半側臥位状態で体圧分散状況を測定した。
【００４２】
（実施例２）
クッション体の上に体圧マットを覆い、図１１に示すように、両足の間にクッション体を挟んで体圧分散状況を測定した。
図１０は、実施例１のクッション体の体圧分散を測定した結果を表す図であり、図１２は、実施例２のクッション体の体圧分散を測定した結果を表す図である。これらの測定結果において、着色部分がクッション体が圧力を受けている部分であり、何れの測定結果においても、圧力分布を示す範囲が広範囲であるので、身体形状の凹凸に関わらずクッション体が身体形状に応じた変形をし、身体部位を広範囲かつ包み込むようにクッション体が支持していることが確認できた。なお、実施例の何れのクッション体も、クッション体の底部に身体部位が底打ちしなかったことが確認されている。
【図面の簡単な説明】
【００４３】
【図１】本発明に係るクッション体の一実施形態の斜視図である。
【図２】図１のクッション体のＡ−Ａ間断面模式図である
【図３】図１のクッション体の一使用例を表した図である。
【図４】図３におけるＢ―Ｂ間の断面模式図である。
【図５】本発明に係るクッション体の他の実施形態の斜視図である。
【図６】図５のクッション体の一使用例を表した図である。
【図７】本発明に係るクッション体の他の実施形態の斜視図である。
【図８】図７のクッション体の一使用例を表した図である。
【図９】実施例１のクッション体の体圧分散を測定したときのクッション体使用状態を表す図面代用写真である。
【図１０】実施例１のクッション体の体圧分散を測定した結果を表す図である。
【図１１】実施例２のクッション体の体圧分散を測定したときのクッション体使用状態を表す図面代用写真である。
【図１２】実施例２のクッション体の体圧分散を測定した結果を表す図である。
【符号の説明】
【００４４】
２  外袋
３、７  中袋
４  発泡樹脂粒子
【図１】
2005230137.tif 000003
【図２】
2005230137.tif 000004
【図３】
2005230137.tif 000005
【図４】
2005230137.tif 000006
【図５】
2005230137.tif 000007
【図６】
2005230137.tif 000008
【図８】
2005230137.tif 000009
【図７】
2005230137.tif 000010
【図９】
2005230137.tif 000011
【図１０】
2005230137.tif 000012
【図１１】
2005230137.tif 000013
【図１２】
2005230137.tif 000014